(57)【特許請求の範囲】
【請求項１】
家屋の屋内に設置され、前記屋内の騒音を検知する屋内騒音センサから、前記屋内の騒音レベルを含む第１の騒音情報を取得し、前記家屋の屋外に設置され、前記屋外の騒音を検知する屋外騒音センサから、前記屋外の騒音レベルを含む第２の騒音情報を取得する騒音取得部と、
前記家屋の開口部を電動で閉蓋する家屋開口電動閉蓋装置の開閉状態を示す開閉情報を取得する開閉検知部と、
前記第１の騒音情報に含まれる前記屋内の騒音と前記第２の騒音情報に含まれる前記屋外の騒音とが同じ音源であって、かつ、前記第１の騒音情報に含まれる前記屋内の騒音レベルが第１の閾値以上であって、かつ、前記第２の騒音情報に含まれる前記屋外の騒音レベルが第２の閾値以上であれば、騒音が発生していると判定する騒音判定部と、
前記騒音判定部が、騒音が発生していると判定した場合に、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部と、
を備える制御装置。
【請求項２】
家屋の屋内に設置され、前記屋内の騒音を検知する屋内騒音センサから、前記屋内の騒音レベルを含む第１の騒音情報を取得し、前記家屋の屋外に設置され、前記屋外の騒音を検知する屋外騒音センサから、前記屋外の騒音レベルを含む第２の騒音情報を取得する騒音取得部と、
前記家屋の開口部を電動で閉蓋する家屋開口電動閉蓋装置の開閉状態を示す開閉情報を取得する開閉検知部と、
前記第１の騒音情報に含まれる前記屋内の騒音レベルが第１の閾値以上であれば、騒音が発生していると判定する騒音判定部と、
前記騒音判定部が、前記騒音が発生していると判定した場合に、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部と、
前記騒音が発生していることを報知させる報知命令を生成し、前記報知命令を報知装置に送信する報知制御部と、
を備え、
前記報知制御部は、前記閉制御部が前記閉制御信号を前記家屋開口電動閉蓋装置に送信した後、前記第２の騒音情報に含まれる前記屋外の騒音レベルが第２の閾値以上である場合に、前記報知命令を生成する、
制御装置。
【請求項３】
家屋に設置され、騒音を検知する２以上の騒音センサから、前記検知した騒音レベルを含む騒音情報をそれぞれ取得する騒音取得部と、
前記家屋の開口部を電動で閉蓋する２以上の家屋開口電動閉蓋装置の開閉状態を示す開閉情報を取得する開閉検知部と、
前記騒音情報に含まれる騒音レベルが閾値以上であれば、騒音が発生していると判定する騒音判定部と、
前記騒音センサと前記家屋開口電動閉蓋装置との対応を示す機器情報を記憶する機器情報記憶部と、
前記騒音判定部が、前記騒音が発生していると判定した場合に、前記機器情報が示す、前記閾値以上の騒音レベルを検知した騒音センサに対応する前記家屋開口電動閉蓋装置であって、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部と、
を備える制御装置。
【請求項４】
前記騒音判定部が、前記騒音が発生していると判定した場合に、前記騒音が発生していることを報知させる報知命令を生成し、前記報知命令を報知装置に送信する報知制御部を備える請求項１または３に記載の制御装置。
【請求項５】
前記閉制御部が前記家屋開口電動閉蓋装置に前記閉制御信号を送信後、前記騒音判定部が、前記騒音が発生していないと判定すると、前記家屋開口電動閉蓋装置を開状態にさせる開制御信号を生成し、前記閉制御部が前記閉制御信号を送信した前記家屋開口電動閉蓋装置に前記開制御信号を送信する開制御部を備える請求項１から４のいずれか１項に記載の制御装置。
【請求項６】
前記閉制御部は、前記騒音判定部が、前記第１の騒音情報に含まれる前記屋内の騒音レベルが前記第１の閾値以上であると判定した場合であっても、前記第２の騒音情報に含まれる前記屋外の騒音レベルが前記第２の閾値以下であると判定した場合には、前記閉制御信号を前記家屋開口電動閉蓋装置に送信しない請求項２に記載の制御装置。
【請求項７】
家屋の屋内に設置され、前記屋内の騒音を検知する屋内騒音センサと、
前記家屋の屋外に設置され、前記屋外の騒音を検知する屋外騒音センサと、
前記家屋の開口部を電動で閉蓋する家屋開口電動閉蓋装置と、
前記屋内騒音センサから、前記屋内の騒音レベルを含む第１の騒音情報を取得し、前記屋外騒音センサから、前記屋外の騒音レベルを含む第２の騒音情報を取得する騒音取得部、
前記家屋開口電動閉蓋装置の開閉状態を示す開閉情報を取得する開閉検知部、
前記第１の騒音情報に含まれる前記屋内の騒音と前記第２の騒音情報に含まれる前記屋外の騒音とが同じ音源であって、かつ、前記第１の騒音情報に含まれる前記屋内の騒音レベルが第１の閾値以上であって、かつ、前記第２の騒音情報に含まれる前記屋外の騒音レベルが第２の閾値以上であれば、騒音が発生していると判定する騒音判定部、ならびに、
前記騒音判定部が、騒音が発生していると判定した場合に、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部、
を備える制御装置と、
を含む制御システム。
【請求項８】
家屋の屋内に設置され、前記屋内の騒音を検知する屋内騒音センサと、
前記家屋の屋外に設置され、前記屋外の騒音を検知する屋外騒音センサと、
前記家屋の開口部を電動で閉蓋する家屋開口電動閉蓋装置と、
前記屋内騒音センサから、前記屋内の騒音レベルを含む第１の騒音情報を取得し、前記屋外騒音センサから、前記屋外の騒音レベルを含む第２の騒音情報を取得する騒音取得部と、
前記家屋開口電動閉蓋装置の開閉状態を示す開閉情報を取得する開閉検知部と、
前記第１の騒音情報に含まれる前記屋内の騒音レベルが第１の閾値以上であれば、騒音が発生していると判定する騒音判定部、
前記騒音判定部が、前記騒音が発生していると判定した場合に、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部、および、
前記騒音が発生していることを報知させる報知命令を生成し、前記報知命令を報知装置に送信する報知制御部、
を備え、
前記報知制御部は、前記閉制御部が前記閉制御信号を前記家屋開口電動閉蓋装置に送信した後、前記第２の騒音情報に含まれる前記屋外の騒音レベルが第２の閾値以上である場合に、前記報知命令を生成する制御装置と、
を含む制御システム。
【請求項９】
家屋に設置され、騒音を検知する２以上の騒音センサと、
前記家屋の開口部を電動で閉蓋する２以上の家屋開口電動閉蓋装置と、
前記２以上の騒音センサから、前記検知した騒音レベルを含む騒音情報をそれぞれ取得する騒音取得部、
前記２以上の家屋開口電動閉蓋装置の開閉状態を示す開閉情報を取得する開閉検知部、
前記騒音情報に含まれる騒音レベルが閾値以上であれば、騒音が発生していると判定する騒音判定部、
前記騒音センサと前記家屋開口電動閉蓋装置との対応を示す機器情報を記憶する機器情報記憶部、および、
前記騒音判定部が、前記騒音が発生していると判定した場合に、前記機器情報が示す、前記閾値以上の騒音レベルを検知した騒音センサに対応する前記家屋開口電動閉蓋装置であって、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部、
を備える制御装置と、
を含む制御システム。
【請求項１０】
コンピュータを、
家屋の屋内に設置され、前記屋内の騒音を検知する屋内騒音センサから、前記屋内の騒音レベルを含む第１の騒音情報を取得し、前記家屋の屋外に設置され、前記屋外の騒音を検知する屋外騒音センサから、前記屋外の騒音レベルを含む第２の騒音情報を取得する騒音取得部、
前記家屋の開口部を電動で閉蓋する家屋開口電動閉蓋装置の開閉状態を示す開閉情報を取得する開閉検知部、
前記第１の騒音情報に含まれる前記屋内の騒音と前記第２の騒音情報に含まれる前記屋外の騒音とが同じ音源であって、かつ、前記第１の騒音情報に含まれる前記屋内の騒音レベルが第１の閾値以上であって、かつ、前記第２の騒音情報に含まれる前記屋外の騒音レベルが第２の閾値以上であれば、騒音が発生していると判定する騒音判定部、ならびに、
前記騒音判定部が、騒音が発生していると判定した場合に、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部、
として機能させるプログラム。
【請求項１１】
コンピュータを、
家屋の屋内に設置され、前記屋内の騒音を検知する屋内騒音センサから、前記屋内の騒音レベルを含む第１の騒音情報を取得し、前記家屋の屋外に設置され、前記屋外の騒音を検知する屋外騒音センサから、前記屋外の騒音レベルを含む第２の騒音情報を取得する騒音取得部、
前記家屋の開口部を電動で閉蓋する家屋開口電動閉蓋装置の開閉状態を示す開閉情報を取得する開閉検知部、
前記第１の騒音情報に含まれる前記屋内の騒音レベルが第１の閾値以上であれば、騒音が発生していると判定する騒音判定部、
前記騒音判定部が、前記騒音が発生していると判定した場合に、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部、および、
前記騒音が発生していることを報知させる報知命令を生成し、前記報知命令を報知装置に送信する報知制御部、
として機能させ、
前記報知制御部は、前記閉制御部が前記閉制御信号を前記家屋開口電動閉蓋装置に送信した後、前記第２の騒音情報に含まれる前記屋外の騒音レベルが第２の閾値以上である場合に、前記報知命令を生成するプログラム。
【請求項１２】
コンピュータを、
家屋に設置され、騒音を検知する２以上の騒音センサから、前記検知した騒音レベルを含む騒音情報をそれぞれ取得する騒音取得部、
前記家屋の開口部を電動で閉蓋する２以上の家屋開口電動閉蓋装置の開閉状態を示す開閉情報を取得する開閉検知部、
前記騒音情報に含まれる騒音レベルが閾値以上であれば、騒音が発生していると判定する騒音判定部、
前記騒音センサと前記家屋開口電動閉蓋装置との対応を示す機器情報を記憶する機器情報記憶部、および、
前記騒音判定部が、前記騒音が発生していると判定した場合に、前記機器情報が示す、前記閾値以上の騒音レベルを検知した騒音センサに対応する前記家屋開口電動閉蓋装置であって、前記開閉検知部が取得した開閉情報が示す開閉状態が開状態である前記家屋開口電動閉蓋装置を閉状態にさせる閉制御信号を生成し、前記閉制御信号を前記家屋開口電動閉蓋装置に送信する閉制御部、
として機能させるプログラム。
【発明の詳細な説明】
【技術分野】
【０００１】
本発明は、家屋の開口部を電動で閉蓋する家屋開口電動閉蓋装置を制御する制御装置、制御システムおよびプログラムに関する。
【背景技術】
【０００２】
騒音に由来するトラブルは枚挙にいとまがなく、極端な場合には訴訟や傷害沙汰に発展することもある。騒音トラブルの予防策として、屋内で閾値以上の騒音を検知した場合に、それを報知するシステムが提案されている。
【０００３】
特許文献１には、隣接する各住戸の住人が設定した騒音の希望閾値のうち、最小の閾値を超える騒音を発している場合に騒音発生を報知したり、騒音源となっている機器の音量を下げたりする騒音検知システムが開示されている。
【０００４】
特許文献２には、周囲の住戸の人の在否や、周囲の住戸で発している騒音レベルに応じて警告表示を行う閾値が設定される騒音警告システムが開示されている。
【先行技術文献】
【特許文献】
【０００５】
【特許文献１】特開２０１１−２３７８５６号公報
【特許文献２】特開２０１４−０９２９２４号公報
【発明の概要】
【発明が解決しようとする課題】
【０００６】
しかしながら、特許文献１や特許文献２に提案されているシステムでは、騒音が閾値以上であることを報知するのみ、あるいは、騒音の低減を図れるのは音量制御可能な機器のみであり、音量制御可能な機器による騒音以外の騒音、例えば、話し声などのユーザの生活行動に伴う騒音を低減することはできないという問題がある。
【０００７】
本発明は、上述のような事情に鑑みてなされたもので、音量制御可能な機器による騒音以外の騒音を含む騒音が屋内で発生している場合にも、屋外に漏れる騒音を低減可能にすることを目的とする。
【課題を解決するための手段】
【０００８】
上記目的を達成するため、本発明に係る制御装置は、騒音取得部と、開閉検知部と、騒音判定部と、閉制御部とを備える。騒音取得部は、家屋の屋内に設置され、屋内の騒音を検知する屋内騒音センサから、屋内の騒音レベルを含む第１の騒音情報を取得し、家屋の屋外に設置され、屋外の騒音を検知する屋外騒音センサから、屋外の騒音レベルを含む第２の騒音情報を取得する。開閉検知部は、家屋の開口部を電動で閉蓋する家屋開口電動閉蓋装置の開閉状態を示す開閉情報を取得する。騒音判定部は、第１の騒音情報に含まれる屋内の騒音と第２の騒音情報に含まれる屋外の騒音とが同じ音源であって、かつ、第１の騒音情報に含まれる屋内の騒音レベルが第１の閾値以上であって、かつ、第２の騒音情報に含まれる屋外の騒音レベルが第２の閾値以上であれば、騒音が発生していると判定する。閉制御部は、騒音判定部が、騒音が発生していると判定した場合に、開閉検知部が取得した開閉情報が示す開閉状態が開状態である家屋開口電動閉蓋装置を閉状態にさせる閉制御信号を生成し、閉制御信号を家屋開口電動閉蓋装置に送信する。
【発明の効果】
【０００９】
本発明によれば、音量制御可能な機器による騒音以外の騒音を含む騒音が屋内で発生している場合にも、家屋の開口部を電動で閉蓋する家屋開口電動閉蓋装置を閉めることにより、屋外に漏れる騒音を低減することができる。
【図面の簡単な説明】
【００１０】
【図１】本発明の実施の形態１に係る制御システムの構成例を示す図である。
【図２】実施の形態１に係る制御装置の機能構成例を示す図である。
【図３】実施の形態１に係る制御処理の動作の一例を示すフローチャートである。
【図４】本発明の実施の形態２に係る制御装置の機能構成例を示す図である。
【図５】実施の形態２に係る制御処理の動作の一例を示すフローチャートである。
【図６】本発明の実施の形態３に係る制御システムの構成例を示す図である。
【図７】実施の形態３に係る制御装置の機能構成例を示す図である。
【図８】実施の形態３に係る機器情報の一例を示す図である。
【図９】実施の形態３に係る制御処理の動作の一例を示すフローチャートである。
【図１０】本発明の実施の形態４に係る制御システムの構成例を示す図である。
【図１１】実施の形態４に係る制御装置の機能構成例を示す図である。
【図１２】実施の形態４に係る機器情報の一例を示す図である。
【図１３】実施の形態４に係る制御処理の動作の一例を示すフローチャートである。
【図１４】実施の形態４に係る制御処理の動作の他の例を示すフローチャートである。
【図１５】本発明の実施の形態に係る制御装置のハードウェア構成の一例を示す図である。
【発明を実施するための形態】
【００１１】
以下に、本発明を実施するための形態について図面を参照して詳細に説明する。なお、図中同一または相当する部分には同じ符号を付す。本実施の形態では、家屋の開口部を電動で閉蓋する家屋開口電動閉蓋装置が電動窓、電動雨戸および電動シャッターである場合を例として説明する。
【００１２】
（実施の形態１）
図１は、本発明の実施の形態１に係る制御システムの構成例を示す図である。制御システム１００は、制御装置１と、騒音センサ２Ａおよび２Ｂ（以下、総称する場合は、騒音センサ２という）と電動窓３Ａとで構成される。騒音センサ２および電動窓３Ａはそれぞれ、制御装置１に信号線で接続される。ここで、信号線の物理的規格や通信規格は特定の規格に制限されるものではなく、例えばＲＳ−２３２Ｃや、ＵＳＢ（Universal Serial Bus）といった汎用の規格であってもよいし、独自規格のものであってもよい。
【００１３】
騒音センサ２は家屋に設置されて騒音を検知する。騒音センサ２はそれぞれ、検知した騒音の騒音レベルを含む騒音情報を制御装置１に送信する。騒音レベルとは、騒音の大きさを示す指標であって、例えば騒音の音圧レベル（単位はｄＢ）である。騒音レベルは、音圧レベル以外にも時間や頻度などを加味してもよい。制御装置１は、騒音センサ２から受信した騒音情報に含まれる騒音レベルが閾値を超える場合には、電動窓３Ａを閉状態にする閉制御信号を生成し、電動窓３Ａに閉制御信号を送信する。電動窓３Ａは、制御装置１から閉制御信号を受信すると、閉状態にする。閾値は、騒音センサ２ごとに異なってもよい。
【００１４】
図１の例では、騒音センサ２は２つ、電動窓３Ａは１つである。これに限らず、騒音センサ２および電動窓３Ａはそれぞれ１つ以上であればよい。また、制御装置１から閉制御信号を受信して閉状態にする家屋開口電動閉蓋装置は電動窓３Ａに限らず、電動雨戸や電動シャッターなどでもよい。
【００１５】
図２は、実施の形態１に係る制御装置の機能構成例を示す図である。制御装置１は、騒音取得部１１と、騒音判定部１２と、閉制御部１３とを備える。騒音取得部１１は、騒音センサ２Ａおよび２Ｂからそれぞれ検知した騒音の騒音レベルを含む騒音情報を取得する。騒音判定部１２は、騒音取得部１１が取得した騒音情報に含まれる騒音レベルが閾値以上であるか否かを判定する。騒音判定部１２が、騒音レベルが閾値以上であると判定すると、閉制御部１３は、電動窓３Ａを閉状態にする閉制御信号を生成し、電動窓３Ａに送信する。このとき、例えば、騒音センサ２Ａおよび２Ｂが検知した騒音の騒音レベルのいずれかが閾値を超えた場合、閉制御部１３は、電動窓３Ａを閉状態にする閉制御信号を電動窓３Ａに送信してもよいし、騒音センサ２Ａおよび２Ｂが検知した騒音の騒音レベルの両方が閾値を超えた場合、閉制御部１３は、電動窓３Ａを閉状態にする閉制御信号を電動窓３Ａに送信してもよい。また、電動窓３Ａを閉状態にする条件は、一瞬の騒音レベルから判断するのではなく、決められた時間（例えば、１分間）騒音情報を取得し続け、継続して、または、断続的に閾値以上の騒音レベルが検知されることを条件としてもよい。これにより、瞬間的に発生した騒音により電動窓３Ａを閉めてしまうことを防ぐことができる。
【００１６】
図３は、実施の形態１に係る制御処理の動作の一例を示すフローチャートである。制御処理は、制御装置１が起動すると開始する。制御装置１の騒音取得部１１は、騒音センサ２から騒音情報を取得する（ステップＳ１１）。騒音判定部１２は、騒音取得部１１が取得した騒音情報に含まれる騒音レベルが閾値以上であるか否かを判定する（ステップＳ１２）。騒音レベルが閾値以上でない場合（ステップＳ１２；ＮＯ）、処理はステップＳ１５に移行する。
【００１７】
騒音レベルが閾値以上である場合（ステップＳ１２；ＹＥＳ）、閉制御部１３は、電動窓３Ａを閉状態にする閉制御信号を生成し（ステップＳ１３）、電動窓３Ａに閉制御信号を送信する（ステップＳ１４）。制御装置１の電源がＯＦＦになっていなければ（ステップＳ１５；ＮＯ）、処理はステップＳ１１に戻り、ステップＳ１１〜ステップＳ１５を繰り返す。制御装置１の電源がＯＦＦになると（ステップＳ１５；ＹＥＳ）、処理を終了する。ステップＳ１２では、騒音レベルが閾値以上の状態が継続して、または、断続的に決められた時間が経過したか否かを判定してもよい。
【００１８】
以上説明したように実施の形態１の制御システム１００によれば、音量制御可能な機器による騒音以外の騒音を含む騒音が屋内で発生している場合にも、電動窓３Ａを閉めることにより、屋外に漏れる騒音を低減することができる。また、電動窓３Ａが閉まる際に生じる動作音や、室内の明るさなどの環境の変化が、閾値以上の騒音が発生していることの報知としても機能することが期待できる。
【００１９】
（実施の形態２）
実施の形態２の制御システムは、実施の形態１の制御システム１００と同様の構成である。実施の形態２では、騒音レベルが閾値以上であって、かつ、電動窓３Ａが開状態である場合に、電動窓３Ａに閉制御信号を送信する。
【００２０】
図４は、本発明の実施の形態２に係る制御装置の機能構成例を示す図である。実施の形態２の制御装置１は、実施の形態１の制御装置１の機能構成に加え、開閉検知部１４および開制御部１５を備える。開閉検知部１４は、電動窓３Ａから開閉状態を示す開閉情報を取得する。閉制御部１３は、開閉検知部１４が取得した開閉情報に基づいて電動窓３Ａが開状態であるか否かを判断する。閉制御部１３は、騒音判定部１２によって騒音レベルが閾値以上であると判定され、かつ、電動窓３Ａが開状態である場合、電動窓３Ａを閉状態にする閉制御信号を生成し、電動窓３Ａに送信する。閉制御部１３は、電動窓３Ａに閉制御信号を送信したことを開制御部１５に通知する。開制御部１５は、閉制御部１３が電動窓３Ａに閉制御信号を送信した後、騒音判定部１２によって騒音レベルが閾値未満であると判定されると、電動窓３Ａを開状態にさせる開制御信号を生成し、電動窓３Ａに開制御信号を送信する。
【００２１】
電動窓３Ａが複数ある場合は、閉制御部１３は、開状態である電動窓３Ａにのみ閉制御信号を送信する。この場合、閉制御部１３は、閉制御信号を送信した電動窓３Ａを開制御部１５に通知する。開制御部１５は、閉制御部１３が電動窓３Ａに閉制御信号を送信した後、騒音判定部１２によって騒音レベルが閾値未満であると判定されると、電動窓３Ａを開状態にさせる開制御信号を生成し、閉制御信号を送信した電動窓３Ａに開制御信号を送信する。電動窓３Ａは、制御装置１から開制御信号を受信すると、開状態に戻す。
【００２２】
電動窓３Ａを開状態に戻す条件は、一瞬の騒音レベルから判断するのではなく、決められた時間（例えば、１分間）騒音情報を取得し続け、その間に閾値以上の騒音レベルが検知されないことを条件としてもよい。これにより、たまたま騒音が止んだ一瞬に電動窓３Ａを開けてしまうことを防ぐことができる。なお、開状態であった電動窓３Ａに閉制御信号を送信した後、電動窓３Ａを閉じたままにしておき、開制御信号を送らない構成にしてもよい。この場合、制御装置１は、開制御部１５を備えなくてもよい。
【００２３】
図５は、実施の形態２に係る制御処理の動作の一例を示すフローチャートである。制御処理は、制御装置１が起動すると開始する。制御装置１の騒音取得部１１は、騒音センサ２から騒音情報を取得する（ステップＳ２１）。騒音判定部１２は、騒音取得部１１が取得した騒音情報に含まれる騒音レベルが閾値以上であるか否かを判定する（ステップＳ２２）。騒音レベルが閾値以上でない場合（ステップＳ２２；ＮＯ）、処理はステップＳ３１に移行する。
【００２４】
騒音レベルが閾値以上である場合（ステップＳ２２；ＹＥＳ）、開閉検知部１４は、電動窓３Ａから開閉状態を示す開閉情報を取得する（ステップＳ２３）。電動窓３Ａが閉状態である場合（ステップＳ２４；ＮＯ）、処理はステップＳ３１に移行する。電動窓３Ａが開状態である場合（ステップＳ２４；ＹＥＳ）、閉制御部１３は、電動窓３Ａを閉状態にする閉制御信号を生成し（ステップＳ２５）、電動窓３Ａに閉制御信号を送信する（ステップＳ２６）。
【００２５】
騒音取得部１１は、騒音センサ２から騒音情報を取得する（ステップＳ２７）。騒音判定部１２は、騒音取得部１１が取得した騒音情報に含まれる騒音レベルが閾値未満であるか否かを判定する（ステップＳ２８）。騒音レベルが閾値未満でない場合（ステップＳ２８；ＮＯ）、ステップＳ２７に戻り、ステップＳ２７およびステップＳ２８を繰り返して騒音レベルが閾値未満になるのを待機する。騒音レベルが閾値未満になると（ステップＳ２８；ＹＥＳ）、開制御部１５は、電動窓３Ａを開状態にさせる開制御信号を生成し（ステップＳ２９）、電動窓３Ａに開制御信号を送信する（ステップＳ３０）。制御装置１の電源がＯＦＦになっていなければ（ステップＳ３１；ＮＯ）、処理はステップＳ２１に戻り、ステップＳ２１〜ステップＳ３１を繰り返す。制御装置１の電源がＯＦＦになると（ステップＳ３１；ＹＥＳ）、処理を終了する。
【００２６】
ステップＳ２８では、騒音レベルが閾値未満の状態で決められた時間が経過したか否かを判定してもよい。また、騒音レベルが閾値未満になったか否かを判定するステップＳ２７およびステップＳ２８のタイミングは、ユーザが閾値以上の騒音が出ていることに気づいて騒音を抑制するまでの時間など騒音が止むまでの時間を考慮し、ステップＳ２６で電動窓３Ａに閉制御信号を送信した後、一定時間経過後であってもよいし、一定時間おきに判定することにしてもよい。
【００２７】
以上説明したように実施の形態２の制御システムによれば、閾値以上の騒音レベルの騒音が屋内で発生している場合に、開いている電動窓３Ａにのみ閉制御信号を送信するので、すべての電動窓３Ａが閉じている場合にも閉制御信号を送信してしまう無駄を省くことができる。また、開制御部１５を備える構成では、開状態であった電動窓３Ａに閉制御信号を送信した後、騒音レベルが閾値未満の状態になった場合に再度電動窓３Ａに開制御信号を送信することで元の状態に戻すことができるので、ユーザが再度電動窓３Ａを開ける動作をしなくてもよい。
【００２８】
（実施の形態３）
図６は、本発明の実施の形態３に係る制御システムの構成例を示す図である。実施の形態３の制御システム２００は、制御装置１と、騒音センサ２Ａ、２Ｂおよび２Ｃ（以下、総称する場合は、騒音センサ２という）と、電動窓３Ａ、電動雨戸３Ａ’および電動シャッター３Ｂ（以下、総称する場合は、家屋開口電動閉蓋装置３という）とで構成される。騒音センサ２および家屋開口電動閉蓋装置３はそれぞれ、ネットワーク９を介して制御装置１に接続される。ネットワーク９の方式は何でもよく、例えば、ＵＳＢや、特定小電力無線を用いたＨＡＮ（Home Area Network）などがある。
【００２９】
家屋の部屋ａには、屋内の騒音を検知する騒音センサ２Ａと、電動窓３Ａと、電動雨戸３Ａ’とが配置されている。部屋ｂには、屋内の騒音を検知する騒音センサ２Ｂと、電動シャッター３Ｂとが配置されている。屋外の騒音を検知する騒音センサ２Ｃは屋外に配置されている。騒音センサ２は指向性を有し、屋内の騒音を検知する騒音センサ２Ａおよび２Ｂは屋内に向けて設置し、屋外の騒音を検知する騒音センサ２Ｃは家屋に向けて設置することで、屋内で発生している騒音を精度よく収集できることが望ましい。電動窓３Ａおよび電動雨戸３Ａ’は、騒音センサ２Ａおよび２Ｃに対応し、電動シャッター３Ｂは、騒音センサ２Ｂおよび２Ｃに対応する。
【００３０】
騒音センサ２はそれぞれ、検知した騒音の騒音レベルを含む騒音情報を制御装置１に送信する。制御装置１は、騒音センサ２から受信した騒音情報に含まれる騒音レベルが閾値を超える場合には、家屋開口電動閉蓋装置３を閉状態にする閉制御信号を生成し、閾値を超える騒音レベルを含む騒音情報の送信元の騒音センサ２に対応する家屋開口電動閉蓋装置３に閉制御信号を送信する。家屋開口電動閉蓋装置３は、制御装置１から閉制御信号を受信すると、閉状態にする。なお、騒音センサ２および家屋開口電動閉蓋装置３の配置はこれに限らず、騒音センサ２および家屋開口電動閉蓋装置３がそれぞれ１つ以上であって、１つの騒音センサ２に１つ以上の家屋開口電動閉蓋装置３が対応付けられていればよい。
【００３１】
閾値は、騒音センサ２ごとに異なってもよい。例えば、屋内の騒音を検知する騒音センサ２Ａおよび２Ｂと、屋外の騒音を検知する騒音センサ２Ｃとでは、同じ音源であっても検知する騒音レベルが異なるので、これに合わせて異なる閾値を設定する。また、閾値に段階を設けて、閾値ごとに閉制御信号を送信する家屋開口電動閉蓋装置３を変えてもよい。例えば、騒音センサ２Ａの閾値が第１の閾値と、第１の閾値よりも大きい第２の閾値との２段階である場合、騒音センサ２Ａが検知した騒音レベルが第１の閾値を超えた場合には電動窓３Ａに閉制御信号を送信し、第２の閾値を超えた場合にはさらに電動窓雨戸３Ａ’に閉制御信号を送信する。これにより、騒音レベルに合わせて屋外に漏れる騒音を低減することができる。
【００３２】
図７は、実施の形態３に係る制御装置の機能構成例を示す図である。実施の形態３の制御装置１は、実施の形態１の制御装置１の機能構成に加え、機器情報記憶部１６を備える。機器情報記憶部１６は、騒音センサ２と家屋開口電動閉蓋装置３との対応を示す機器情報を記憶する。閉制御部１３は、騒音判定部１２が、騒音レベルが閾値以上であると判定すると閉制御信号を生成する。閉制御部１３は、機器情報記憶部１６が記憶する機器情報を参照して、閾値を超える騒音レベルを含む騒音情報の送信元の騒音センサ２に対応する家屋開口電動閉蓋装置３に閉制御信号を送信する。
【００３３】
図８は、実施の形態３に係る機器情報の一例を示す図である。機器情報は、騒音センサ２を識別する「騒音センサ」と、騒音センサ２に対応する家屋開口電動閉蓋装置３を識別する「家屋開口電動閉蓋装置」との項目を有する。図８の例では、騒音センサ２Ａおよび２Ｃに電動窓３Ａおよび電動雨戸３Ａ’が対応し、騒音センサ２Ｂおよび２Ｃに電動シャッター３Ｂが対応する。例えば、図７に示す制御装置１の騒音判定部１２が、騒音センサ２Ａおよび２Ｃが検知した騒音レベルが閾値以上であると判定した場合には、閉制御部１３は、このような機器情報を参照し、騒音センサ２Ａおよび２Ｃに対応する電動窓３Ａおよび電動雨戸３Ａ’に閉制御信号を送信する。
【００３４】
閉制御部１３は、騒音判定部１２が、屋内の騒音を検知する騒音センサ２が検知した騒音レベルが閾値以上と判定しても、屋外の騒音を検知する騒音センサ２が検知した騒音レベルが閾値未満であると判定した場合には、閉制御信号を送信しない構成にしてもよい。この場合、屋内および屋外に少なくとも１つずつ騒音センサ２を備える。例えば、騒音判定部１２が、騒音センサ２Ａが検知した騒音レベルが閾値以上であると判定した場合でも、騒音センサ２Ｃが検知した騒音レベルが閾値以下であると判定すると、閉制御部１３は閉制御信号を送信しない。このように、屋内で騒音レベルが閾値以上の騒音が発生していても、屋外に騒音レベルが閾値以上の騒音が漏れていない場合には家屋開口電動閉蓋装置３を閉じないようにすることで、ユーザの環境に対する影響を軽減することができる。
【００３５】
図９は、実施の形態３に係る制御処理の動作の一例を示すフローチャートである。制御処理は、制御装置１が起動すると開始する。制御装置１の騒音取得部１１は、騒音センサ２から騒音情報を取得する（ステップＳ４１）。騒音判定部１２は、騒音取得部１１が取得した騒音情報に含まれる騒音レベルが閾値以上であるか否かを判定する（ステップＳ４２）。騒音レベルが閾値以上でない場合（ステップＳ４２；ＮＯ）、処理はステップＳ４６に移行する。
【００３６】
騒音レベルが閾値以上である場合（ステップＳ４２；ＹＥＳ）、閉制御部１３は、家屋開口電動閉蓋装置３を閉状態にする閉制御信号を生成する（ステップＳ４３）。閉制御部１３は、機器情報記憶部１６が記憶する機器情報を参照し（ステップＳ４４）、閾値を超える騒音レベルを含む騒音情報の送信元の騒音センサ２に対応する家屋開口電動閉蓋装置３に閉制御信号を送信する（ステップＳ４５）。制御装置１の電源がＯＦＦになっていなければ（ステップＳ４６；ＮＯ）、処理はステップＳ４１に戻り、ステップＳ４１〜ステップＳ４６を繰り返す。制御装置１の電源がＯＦＦになると（ステップＳ４６；ＹＥＳ）、処理を終了する。
【００３７】
以上説明したように実施の形態３の制御システム２００によれば、閾値以上の騒音レベルの騒音を検知した騒音センサ２に対応する家屋開口電動閉蓋装置３にのみ閉制御信号を送信するので、例えば、家屋に複数に部屋がある場合などに部屋ごとの対応ができる。これにより、閾値以上の騒音レベルの騒音が発生していない部屋の家屋開口電動閉蓋装置３が閉状態になることを防ぐことができる。
【００３８】
（実施の形態４）
図１０は、本発明の実施の形態４に係る制御システムの構成例を示す図である。実施の形態４の制御システム３００は、制御装置１と、騒音センサ２Ａ、２Ｂおよび２Ｃ（以下、総称する場合は、騒音センサ２という）と、電動窓３Ａおよび電動シャッター３Ｂ（以下、総称する場合は、家屋開口電動閉蓋装置３という）と、報知装置４Ａおよび報知装置４Ｂ（以下、総称する場合は、報知装置４という）とで構成される。騒音センサ２、家屋開口電動閉蓋装置３および報知装置４はそれぞれ、ネットワーク９を介して制御装置１に接続される。
【００３９】
家屋の部屋ａには、屋内の騒音を検知する騒音センサ２Ａと、電動窓３Ａと、報知装置４Ａとが配置されている。部屋ｂには、屋内の騒音を検知する騒音センサ２Ｂと、電動シャッター３Ｂと、報知装置４Ｂとが配置されている。屋外の騒音を検知する騒音センサ２Ｃは屋外に配置されている。電動窓３Ａおよび報知装置４Ａは、騒音センサ２Ａおよび２Ｃに対応し、電動シャッター３Ｂおよび報知装置４Ｂは、騒音センサ２Ｂおよび２Ｃに対応する。なお、騒音センサ２および家屋開口電動閉蓋装置３の配置はこれに限らず、騒音センサ２、家屋開口電動閉蓋装置３および報知装置４がそれぞれ１つ以上であって、１つの騒音センサ２に１つ以上の家屋開口電動閉蓋装置３と１つ以上の報知装置４とが対応付けられていればよい。
【００４０】
騒音センサ２はそれぞれ、検知した騒音の騒音レベルを含む騒音情報を制御装置１に送信する。制御装置１は、騒音センサ２から受信した騒音情報に含まれる騒音レベルが閾値を超える場合には、家屋開口電動閉蓋装置３を閉状態にする閉制御信号を生成し、閾値を超える騒音レベルを含む騒音情報の送信元の騒音センサ２に対応する家屋開口電動閉蓋装置３に閉制御信号を送信する。また、制御装置１は、騒音センサ２から受信した騒音情報に含まれる騒音レベルが閾値を超える場合には、報知装置４に閾値以上の騒音の発生を報知させる報知命令を生成し、閾値を超える騒音レベルを含む騒音情報の送信元の騒音センサ２に対応する報知装置４に報知命令を送信する。家屋開口電動閉蓋装置３は、制御装置１から閉制御信号を受信すると、閉状態にする。報知装置４は、制御装置１から報知命令を受信すると、閾値以上の騒音の発生を報知する。
【００４１】
報知装置４は、視覚、聴覚、あるいは触覚の少なくともいずれかでユーザに報知を行えるものであればよい。閾値以上の騒音の発生を報知する方法は、例えば、報知装置４の表示部に閾値以上の騒音の発生を表すメッセージを表示してもよいし、音声出力部から報知音を出力してもよい。
【００４２】
報知装置４が文字データの読み上げ機能を備えるテレビジョン受信機である場合には、報知命令に騒音の発生を表す文字データを含む。報知装置４は、報知命令に含まれる文字データ(例えば、「高レベルの騒音が発生しています。騒音を止めてください。」)を読み上げる。これにより、文字による表示や単純な報知音と異なり、目が離せない状態にある人や報知音が何を表しているか把握していないユーザでもなぜ報知が行われているのかを理解できる。また、テレビジョン受信機を報知装置４として用いるので、専用の報知装置４を備える必要がなく、コストが低減できる。
【００４３】
図１１は、本発明の実施の形態４に係る制御装置の機能構成例を示す図である。実施の形態４の制御装置１は、実施の形態３の制御装置１の機能構成に加え、報知制御部１７を備える。機器情報記憶部１６は、騒音センサ２と家屋開口電動閉蓋装置３と報知装置４との対応を示す機器情報を記憶する。報知制御部１７は、騒音判定部１２が、騒音レベルが閾値以上であると判定すると報知命令を生成し、機器情報記憶部１６が記憶する機器情報を参照して、閾値を超える騒音レベルを含む騒音情報の送信元の騒音センサ２に対応する報知装置４に報知命令を送信する。
【００４４】
図１２は、実施の形態４に係る機器情報の一例を示す図である。機器情報は、騒音センサ２を識別する「騒音センサ」と、騒音センサ２に対応する家屋開口電動閉蓋装置３を識別する「家屋開口電動閉蓋装置」と、騒音センサ２に対応する報知装置４を識別する「報知装置」との項目を有する。図１２の例では、騒音センサ２Ａおよび２Ｃに電動窓３Ａと報知装置４Ａとが対応し、騒音センサ２Ｂおよび２Ｃに電動シャッター３Ｂと報知装置４Ｂとが対応する。例えば、図１１に示す制御装置１の騒音判定部１２が、騒音センサ２Ａおよび２Ｃが検知した騒音レベルが閾値以上であると判定した場合には、閉制御部１３は、このような機器情報を参照し、騒音センサ２Ａおよび２Ｃに対応する電動窓３Ａに閉制御信号を送信する。報知制御部１７は、このような機器情報を参照し、騒音センサ２Ａおよび２Ｃに対応する報知装置４Ａに報知命令を送信する。
【００４５】
なお、報知装置４は家屋に１つであってもよいし、すべての騒音センサ２に対応する報知装置４が同一であってもよい。この場合、機器情報は、「報知装置」の項目を含まなくてもよい。報知制御部１７は、騒音判定部１２が、騒音レベルが閾値以上であると判定すると報知命令を生成し、すべての報知装置４に報知命令を送信する。
【００４６】
図１３は、実施の形態４に係る制御処理の動作の一例を示すフローチャートである。制御処理は、制御装置１が起動すると開始する。制御装置１の騒音取得部１１は、騒音センサ２から騒音情報を取得する（ステップＳ５１）。騒音判定部１２は、騒音取得部１１が取得した騒音情報に含まれる騒音レベルが閾値以上であるか否かを判定する（ステップＳ５２）。騒音レベルが閾値以上でない場合（ステップＳ５２；ＮＯ）、処理はステップＳ５９に移行する。
【００４７】
騒音レベルが閾値以上である場合（ステップＳ５２；ＹＥＳ）、閉制御部１３は、家屋開口電動閉蓋装置３を閉状態にする閉制御信号を生成する（ステップＳ５３）。閉制御部１３は、機器情報記憶部１６が記憶する機器情報を参照し（ステップＳ５４）、閾値を超える騒音レベルを含む騒音情報の送信元の騒音センサ２に対応する家屋開口電動閉蓋装置３に閉制御信号を送信する（ステップＳ５５）。報知制御部１７は、報知装置４に閾値以上の騒音の発生を報知させる報知命令を生成する（ステップＳ５６）。報知制御部１７は、機器情報記憶部１６が記憶する機器情報を参照し（ステップＳ５７）、閾値を超える騒音レベルを含む騒音情報の送信元の騒音センサ２に対応する報知装置４に報知命令を送信する（ステップＳ５８）。制御装置１の電源がＯＦＦになっていなければ（ステップＳ５９；ＮＯ）、処理はステップＳ５１に戻り、ステップＳ５１〜ステップＳ５９を繰り返す。制御装置１の電源がＯＦＦになると（ステップＳ５９；ＹＥＳ）、処理を終了する。
【００４８】
報知制御部１７は、閉制御部１３が家屋開口電動閉蓋装置３に閉制御信号を送信した後に、騒音判定部１２が、屋外の騒音を検知する騒音センサ２が検知した騒音レベルが閾値以上であると判定した場合に、報知命令を報知装置４に送信する構成にしてもよい。この場合、屋内および屋外に少なくとも１つずつ騒音センサ２を備える。これにより、家屋開口電動閉蓋装置３を閉めてもなお、屋外に漏れている騒音レベルが閾値以上である場合に、ユーザに報知することができる。この例について、図１４を用いて説明する。
【００４９】
図１４は、実施の形態４に係る制御処理の動作の他の例を示すフローチャートである。制御処理は、制御装置１が起動すると開始する。制御装置１の騒音取得部１１は、騒音センサ２から騒音情報を取得する（ステップＳ６１）。騒音判定部１２は、騒音取得部１１が取得した騒音情報に含まれる屋内の騒音レベルが閾値以上であるか否かを判定する（ステップＳ６２）。屋内の騒音レベルが閾値以上でない場合（ステップＳ６２；ＮＯ）、処理はステップＳ７１に移行する。屋内の騒音レベルが閾値以上である場合（ステップＳ６２；ＹＥＳ）、閉制御部１３は、家屋開口電動閉蓋装置３を閉状態にする閉制御信号を生成する（ステップＳ６３）。閉制御部１３は、機器情報記憶部１６が記憶する機器情報を参照し（ステップＳ６４）、閾値を超える騒音レベルを含む騒音情報の送信元の騒音センサ２に対応する家屋開口電動閉蓋装置３に閉制御信号を送信する（ステップＳ６５）。
【００５０】
続いて、制御装置１の騒音取得部１１は、騒音センサ２から騒音情報を取得し（ステップＳ６６）、騒音判定部１２は、騒音取得部１１が取得した騒音情報に含まれる屋外の騒音レベルが閾値以上であるか否かを判定する（ステップＳ６７）。屋外の騒音レベルが閾値以上でない場合（ステップＳ６７；ＮＯ）、処理はステップＳ７１に移行する。屋外の騒音レベルが閾値以上である場合（ステップＳ６７；ＹＥＳ）、報知制御部１７は、報知装置４に閾値以上の騒音の発生を報知させる報知命令を生成する（ステップＳ６８）。報知制御部１７は、機器情報記憶部１６が記憶する機器情報を参照し（ステップＳ６９）、閾値を超える騒音レベルを含む騒音情報の送信元の騒音センサ２に対応する報知装置４に報知命令を送信する（ステップＳ７０）。制御装置１の電源がＯＦＦになっていなければ（ステップＳ７１；ＮＯ）、処理はステップＳ６１に戻り、ステップＳ６１〜ステップＳ７１を繰り返す。制御装置１の電源がＯＦＦになると（ステップＳ７１；ＹＥＳ）、処理を終了する。
【００５１】
ステップＳ６７では、ステップＳ６２で閾値以上であると判定した屋内の騒音と、屋外の騒音とが同じ音源であるか否かを判定してもよい。屋内外の騒音が同じ音源であるか否かの判定は、既存の音声認識技術を用いて判定する。例えば、騒音取得部１１は、騒音センサ２から騒音レベルと騒音の周波数とを含む騒音情報を取得する。騒音判定部１２は、騒音情報に含まれる屋内外の騒音の周波数に対して屋内外の差を補正し、屋内外の騒音の周波数帯域が一致するか否かで、同じ音源であるか否かを判定する。あるいは、騒音取得部１１は、騒音センサ２から騒音レベルと騒音の音声データを含む騒音情報を取得する。騒音判定部１２は、騒音情報に含まれる屋内外の騒音の音声データから特徴ベクトルを抽出してパターンマッチングを行い、屋内外の騒音の特徴ベクトルのパターンが一致するか否かで、同じ音源であるか否かを判定する。
【００５２】
騒音判定部１２は、屋内の騒音と屋外の騒音とが同じ音源であると判定した場合にのみ、屋外の騒音レベルが閾値以上であるか否かを判定する。これにより、家屋開口電動閉蓋装置３を閉状態にすることで屋外に漏れる騒音を十分低減できているにもかかわらず、屋外の別の騒音によって騒音レベルが十分低減できていないと誤判定されるのを防ぐことができる。
【００５３】
以上説明したように実施の形態４の制御システム３００によれば、閾値以上の騒音レベルの騒音が屋内で発生している場合に、家屋開口電動閉蓋装置３を閉じるとともに、報知装置４に閾値以上の騒音の発生を報知させることで、ユーザが騒音を抑制することが期待でき、より屋外に漏れる騒音を低減することができる。
【００５４】
図１５は、本発明の実施の形態に係る制御装置のハードウェア構成の一例を示す図である。制御装置１は、それぞれの装置を制御するハードウェア構成としてプロセッサ１０１、メモリ１０２、インターフェース１０３を備える。これらの装置の各機能は、プロセッサ１０１がメモリ１０２に記憶されたプログラムを実行することにより実現される。インターフェース１０３は制御装置１と、騒音センサ２や家屋開口電動閉蓋装置３などの構成要素を接続し、通信を確立させるためのものであり、必要に応じて複数の種類のインターフェースから構成されてもよい。図１５では、プロセッサ１０１およびメモリ１０２をそれぞれ１つで構成する例を示しているが、複数のプロセッサ１０１および複数のメモリ１０２が連携して各機能を実行してもよい。
【００５５】
また、上述の機能を、ＯＳ（Operating System）とアプリケーションとの分担、またはＯＳとアプリケーションとの協同により実現する場合等には、ＯＳ以外の部分のみを媒体に格納してもよい。
【００５６】
さらに、搬送波に各プログラムを重畳し、通信ネットワークを介して配信することも可能である。例えば、通信ネットワーク上の掲示板（BBS、Bulletin  Board  System）に当該プログラムを掲示し、ネットワークを介して当該プログラムを配信してもよい。そして、これらのプログラムを起動し、オペレーティングシステムの制御下で、他のアプリケーションプログラムと同様に実行することにより、上述の処理を実行できるように構成してもよい。
【００５７】
上記の制御システム１００、２００および３００の各構成要素が記憶する情報は、ネットワーク上に存在するクラウドサーバで一括管理され、当該構成要素は必要に応じて当該クラウドサーバにアクセスして情報の読み書きを行うようにしてもよい。この場合、当該構成要素は記憶部を備えなくてもよい。
【００５８】
実施の形態１〜４を別々に説明したが、これらを組み合わせてもよい。例えば、実施の形態２の制御装置１が機器情報記憶部１６を備える構成にしてもよい。この場合、閉制御部１３は、機器情報記憶部１６が記憶する機器情報を参照して、閾値を超える騒音レベルを含む騒音情報の送信元の騒音センサ２に対応する家屋開口電動閉蓋装置３に閉制御信号を送信する。実施の形態１および２の制御システムが報知装置４を備え、制御装置１が報知制御部１７を備える構成にしてもよい。この場合、報知制御部１７は、騒音判定部１２が、騒音レベルが閾値以上であると判定すると報知命令を生成し、すべての報知装置４に報知命令を送信する。あるいは、実施の形態１および２の制御システムが報知装置４を備え、制御装置１が機器情報記憶部１６および報知制御部１７を備える構成にしてもよい。この場合、報知制御部１７は、騒音判定部１２が、騒音レベルが閾値以上であると判定すると報知命令を生成し、機器情報記憶部１６が記憶する機器情報を参照して、閾値を超える騒音レベルを含む騒音情報の送信元の騒音センサ２に対応する報知装置４に報知命令を送信する。
【００５９】
上記の実施の形態では、制御装置１は、屋内で発生している騒音が閾値を超える場合に、家屋開口電動閉蓋装置３を閉めることにより、屋外に漏れる騒音を低減する。本発明は、これに限らず、屋外で発生している騒音が閾値を超える場合に、家屋開口電動閉蓋装置３を閉めることにより、屋外から聞こえる騒音を低減してもよい。これにより、屋内の環境の快適性の低下を抑えることができる。
【符号の説明】
【００６０】
１  制御装置、２，２Ａ，２Ｂ，２Ｃ  騒音センサ、３  家屋開口電動閉蓋装置、３Ａ  電動窓、３Ａ’  電動雨戸、３Ｂ  電動シャッター、４，４Ａ，４Ｂ  報知装置、９  ネットワーク、１１  騒音取得部、１２  騒音判定部、１３  閉制御部、１４  開閉検知部、１５  開制御部、１６  機器情報記憶部、１７  報知制御部、１００，２００，３００  制御システム、１０１  プロセッサ、１０２  メモリ、１０３  インターフェース。
【図１】
0006594110.tif 000002
【図２】
0006594110.tif 000003
【図３】
0006594110.tif 000004
【図４】
0006594110.tif 000005
【図５】
0006594110.tif 000006
【図６】
0006594110.tif 000007
【図７】
0006594110.tif 000008
【図８】
0006594110.tif 000009
【図９】
0006594110.tif 000010
【図１０】
0006594110.tif 000011
【図１１】
0006594110.tif 000012
【図１２】
0006594110.tif 000013
【図１３】
0006594110.tif 000014
【図１４】
0006594110.tif 000015
【図１５】
0006594110.tif 000016